(57)【要約】      （修正有）【課題】内気流路を流れる室内空気と、外気流路を流れる室外空気との間の伝熱を抑制し、内気流路で結露水が発生しない調湿装置を提供する。【解決手段】調湿装置(10)のケーシング(11)内の区画部材（60）は、室外空気が導入される外気流路（32）と室内空気が導入される内気流路（31）とが互いに隣接しないように、外気流路（32）と内気流路（31）との間に給気流路（35）及び排気流路（36）を形成するように構成される。【選択図】図２
2017129317.tif 000002
【特許請求の範囲】
【請求項１】
ケーシング（11）と、
上記ケーシング（11）内の上部空間（61）を、室内空気が導入される内気流路（31）と、室外空気が導入される外気流路（32）と、室内へ供給する空気が流れる給気流路（35）と、室外へ排出する空気が流れる排気流路（36）とに区画する区画部材（60）と、
水分を吸着する吸着剤が担持された第１吸着熱交換器（52）と第２吸着熱交換器（53）とが接続され、該第１吸着熱交換器（52）が凝縮器となり第２吸着熱交換器（53）が蒸発器となる第１冷凍サイクルと、第１吸着熱交換器（52）が蒸発器となり第２吸着熱交換器（53）が凝縮器となる第２冷凍サイクルとを切り換えて行うように構成される冷媒回路（50）と、
上記外気流路（32）の空気が上記第１吸着熱交換器（52）を通過し上記給気流路（35）へ送られ且つ上記内気流路（31）の空気が上記第２吸着熱交換器（53）を通過し上記排気流路（36）へ送られる第１空気流路と、上記外気流路（32）の空気が上記第２吸着熱交換器（53）を通過し上記給気流路（35）へ送られ且つ上記内気流路（31）の空気が上記第１吸着熱交換器（52）を通過し上記排気流路（36）へ送られる第２空気流路とを切り換えて形成する流路切換機構（D1〜D8）とを備え、
上記区画部材（60）は、上記外気流路（32）と上記内気流路（31）とが互いに隣接しないように、該外気流路（32）と内気流路（31）との間に上記給気流路（35）及び上記排気流路（36）を形成するように構成される
ことを特徴とする調湿装置。
【請求項２】
請求項１において、
空気を室内へ搬送する給気ファン（41）と、
空気を室外へ搬送する排気ファン（42）とを備え、
上記給気流路（35）に上記給気ファン（41）が配置され、
上記排気流路（36）に上記排気ファン（42）が配置される
ことを特徴とする調湿装置。
【請求項３】
請求項１又は２において、
上記区画部材（60）は、
上記ケーシング（11）の一対の側板（16,17）のうちの一方に対向する第１仕切板（21）と、
上記一対の側板（16,17）のうちの他方に対向する第２仕切板（22）と、
上記第１仕切板（21）と上記第２仕切板（22）とに亘るように配置される中央仕切板（26）とを有し、
一方の上記側板（16）と上記第１仕切板（21）との間に上記内気流路（31）が区画され、
他方の上記側板（17）と上記第２仕切板（22）との間に上記外気流路（32）が区画され、
上記第１仕切板（21）と上記第２仕切板（22）と上記中央仕切板（26）の一方の側面との間に上記給気流路（35）が区画され、
上記第１仕切板（21）と上記第２仕切板（22）と上記中央仕切板（26）の他方の側面との間に上記排気流路（36）が区画される
ことを特徴とする調湿装置。
【請求項４】
請求項３において、
上記第１仕切板（21）及び上記第２仕切板（22）の各々は、上記中央仕切板（26）よりも下方に延びる延出部（21a,22a）を有し、
上記第１仕切板（21）の延出部（21a）と上記第２仕切板（22）の延出部（22a）との間に、上記第１吸着熱交換器（52）及び上記第２吸着熱交換器（53）がそれぞれ１つずつ収容される２つの熱交換器室（33,34）が区画される
ことを特徴とする調湿装置。
【請求項５】
請求項１乃至４のいずれか１つにおいて、
上記外気流路（32）に配置されるフィルタ（43）を備え、
上記区画部材（60）は、上記給気流路（35）の流路断面積が、上記排気流路（36）の流路断面積よりも大きくなるように構成される
ことを特徴とする調湿装置。
【請求項６】
請求項１乃至５のいずれか１つにおいて、
上記ケーシング（11）は、前側が開放されるケーシング本体（11a）と、該ケーシング本体（11a）に着脱可能に取り付けられる前板（14）とを有し、
上記ケーシング（11）の上端部（12）の前側寄りには、上記内気流路（31）に連通する内気ダクト（5）が接続する内気接続部（12a）と、上記給気流路（35）に連通する給気ダクト（6）が接続する給気接続部（12b）とが設けられ、
上記ケーシング（11）の上端部（12）の後側寄りには、上記排気流路（36）に連通する排気ダクト（7）が接続する排気接続部（12c）と、上記外気流路（32）に連通する外気ダクト（8）が接続する外気接続部（12d）とが設けられる
ことを特徴とする調湿装置。
【発明の詳細な説明】
【技術分野】
【０００１】
本発明は、調湿装置に関する。
【背景技術】
【０００２】
従来より、空気の湿度を調節する調湿装置が知られている。
【０００３】
特許文献１に記載の調湿装置は、床面に設置されるケーシングを有している。ケーシング内の上部空間では、室内空気が導入される内気流路と、室外空気が導入される外気流路と、空気を室内へ供給する給気流路と、空気を室外へ排出する排気流路とが区画される。ケーシングの内部には、２つの吸着熱交換器が設けられる。
【０００４】
調湿装置では、外気流路に導入された室外空気（OA）が一方の吸着熱交換器で除湿又は加湿された後、供給空気（SA）として室内へ供給される。同時に、内気流路に導入された室内空気（RA）が他方の吸着熱交換器を通過した後、排出空気（EA）として室外へ排出される。
【先行技術文献】
【特許文献】
【０００５】
【特許文献１】特開２０１３−６４５９０号公報
【発明の概要】
【発明が解決しようとする課題】
【０００６】
特許文献１に記載の調湿装置では、同文献の図３に記載のように、内気流路と外気流路とが仕切板を介して隣接している。例えば夏季では、外気流路を高温・高湿の室外空気が流れ、内気流路を低温の室内空気が流れる。このため、外気流路の流れる空気の熱が内気流路に伝熱することで、外気流路で結露水が発生する可能性がある。冬季では、外気流路を低温の室外空気が流れ、内気流路を高温の室内空気が流れる。このため、内気流路を流れる空気の熱が外気流路に伝熱することで、内気流路で結露水が発生する可能性がある。
【０００７】
本発明は、このような点に鑑みてなされたものであり、内気流路を流れる空気と、外気流路を流れる空気との間の伝熱を抑制することである。
【課題を解決するための手段】
【０００８】
第１の発明は、調湿装置を対象とし、ケーシング（11）と、該ケーシング（11）内の上部空間（61）を、室内空気が導入される内気流路（31）と、室外空気が導入される外気流路（32）と、室内へ供給する空気が流れる給気流路（35）と、室外へ排出する空気が流れる排気流路（36）とに区画する区画部材（60）と、水分を吸着する吸着剤が担持された第１吸着熱交換器（52）と第２吸着熱交換器（53）とが接続され、該第１吸着熱交換器（52）が凝縮器となり第２吸着熱交換器（53）が蒸発器となる第１冷凍サイクルと、第１吸着熱交換器（52）が蒸発器となり第２吸着熱交換器（53）が凝縮器となる第２冷凍サイクルとを切り換えて行うように構成される冷媒回路（50）と、上記外気流路（32）の空気が上記第１吸着熱交換器（52）を通過し上記給気流路（35）へ送られ且つ上記内気流路（31）の空気が上記第２吸着熱交換器（53）を通過し上記排気流路（36）へ送られる第１空気流路と、上記外気流路（32）の空気が上記第２吸着熱交換器（53）を通過し上記給気流路（35）へ送られ且つ上記内気流路（31）の空気が上記第１吸着熱交換器（52）を通過し上記排気流路（36）へ送られる第２空気流路とを切り換えて形成する流路切換機構（D1〜D8）とを備え、上記区画部材（60）は、上記外気流路（32）と上記内気流路（31）とが互いに隣接しないように、該外気流路（32）と内気流路（31）との間に上記給気流路（35）及び上記排気流路（36）を形成するように構成されることを特徴とする。
【０００９】
第１の発明では、ケーシング（11）内の上部空間（61）に区画部材（60）が設けられ、内気流路（31）、外気流路（32）、給気流路（35）、及び排気流路（36）が区画される。区画部材（60）は、内気流路（31）と外気流路（32）とが隣接しないように、内気流路（31）と外気流路（32）との間に給気流路（35）と排気流路（36）とを区画する。これにより、夏季や冬季において、内気流路（31）と外気流路（32）との間での空気の伝熱を抑制できる。この点について詳述する。
【００１０】
例えば夏季において、冷媒回路（50）で第２冷凍サイクルを行うと同時に流路切換機構（D1〜D8）が第１空気流路を形成する動作が行われるとする。この動作では、外気流路（32）を流れる空気が第１吸着熱交換器（52）で冷却・除湿された後、給気流路（35）を通じて室内へ供給される。同時に、内気流路（31）を流れる空気が第２吸着熱交換器（53）で加温・加湿された後、排気流路（36）を通じて室外へ排出される。また、冷媒回路（50）で第１冷凍サイクルを行うと同時に流路切換機構（D1〜D8）が第２空気流路を形成する動作が行われるとする。この動作では、外気流路（32）を流れる空気が第２吸着熱交換器（53）で冷却・除湿された後、給気流路（35）を通じて室内へ供給される。同時に、内気流路（31）を流れる空気が第１吸着熱交換器（52）で加温・加湿された後、排気流路（36）を通じて室外へ排出される。
【００１１】
このような夏季の動作では、外気流路（32）を流れる室外空気が比較的高温・高湿となり、内気流路（31）を流れる室内空気は比較的低温となる。給気流路（35）を流れる空気は、室外から導入されるものであるため、室内空気よりも温度が高くなる傾向にある。排気流路（36）を流れる空気は、室内空気が吸着熱交換器（52,53）で加熱されたものであるため、室内空気よりも温度が高くなる傾向にある。以上のように、このような夏季の動作では、外気流路（32）を流れる空気と内気流路（31）を流れる空気との温度差が最も大きくなり易い。従って、外気流路（32）と内気流路（31）との間に、給気流路（35）及び排気流路（36）を形成することで、各流路（31,32,35,36）を流れる空気の伝熱を抑制でき、最も温度が高い室外空気中から結露水が発生することを防止できる。
【００１２】
例えば冬季において、冷媒回路（50）で第１冷凍サイクルを行うと同時に流路切換機構（D1〜D8）が第１空気流路を形成する動作が行われるとする。この動作では、外気流路（32）を流れる空気が第１吸着熱交換器（52）で加熱・加湿された後、給気流路（35）を通じて室内へ供給される。同時に、内気流路（31）を流れる空気が第２吸着熱交換器（53）で冷却・除湿された後、排気流路（36）を通じて室外へ排出される。また、冷媒回路（50）で第２冷凍サイクルを行うと同時に流路切換機構（D1〜D8）が第２空気流路を形成する動作が行われるとする。この動作では、外気流路（32）を流れる空気が第２吸着熱交換器（53）で加熱・加湿された後、給気流路（35）を通じて室内へ供給される。同時に、内気流路（31）を流れる空気が第１吸着熱交換器（52）で冷却・除湿された後、排気流路（36）を通じて室外に排出される。
【００１３】
このような冬季の動作では、外気流路（32）を流れる室外空気が比較的低温となり、内気流路（31）を流れる室内空気は比較的高温となる。給気流路（35）を流れる空気は、室外から導入されるものであるため、室内空気よりも温度が低くなる傾向にある。排気流路（36）を流れる空気は、室内空気が吸着熱交換器（52,53）で冷却されたものであるため、室内空気よりも温度が低くなる傾向にある。以上のように、このような冬季の動作では、外気流路（32）を流れる空気と内気流路（31）を流れる空気との温度差が最も大きくなり易い。従って、外気流路（32）と内気流路（31）との間に、給気流路（35）及び排気流路（36）を形成することで、各流路（31,32,35,36）を流れる空気の伝熱を抑制でき、最も温度が低い室外空気中から結露水が発生することを防止できる。
【００１４】
第２の発明は、第１の発明において、空気を室内へ搬送する給気ファン（41）と、空気を室外へ搬送する排気ファン（42）とを備え、上記給気流路（35）に上記給気ファン（41）が配置され、上記排気流路（36）に上記排気ファン（42）が配置されることを特徴とする。
【００１５】
第２の発明では、給気ファン（41）が給気流路（35）に配置され、排気ファン（42）が排気流路（36）に配置される。給気流路（35）及び排気流路（36）は、ケーシング（11）の一対の側板（16,17）に面しておらず、外気流路（32）及び内気流路（31）に挟まれている。このため、ケーシング（11）の外部側方における、給気ファン（41）及び排気ファン（42）の騒音を低減できる。    
【００１６】
第３の発明は、第１又は第２の発明において、上記区画部材（60）は、上記ケーシング（11）の一対の側板（16,17）のうちの一方に対向する第１仕切板（21）と、上記一対の側板（16,17）のうちの他方に対向する第２仕切板（22）と、上記第１仕切板（21）と上記第２仕切板（22）とに亘るように配置される中央仕切板（26）とを有し、一方の上記側板（16）と上記第１仕切板（21）との間に上記内気流路（31）が区画され、他方の上記側板（17）と上記第２仕切板（22）との間に上記外気流路（32）が区画され、上記第１仕切板（21）と上記第２仕切板（22）と上記中央仕切板（26）の一方の側面との間に上記給気流路（35）が区画され、上記第１仕切板（21）と上記第２仕切板（22）と上記中央仕切板（26）の他方の側面との間に上記排気流路（36）が区画されることを特徴とする。
【００１７】
第３の発明では、ケーシング（11）内の上部空間（61）に３つの仕切板（第１仕切板（21）、第２仕切板（22）、及び中央仕切板（26））を設けるだけで、外気流路（32）と内気流路（31）との間に給気流路（35）及び排気流路（36）を区画できる。
【００１８】
第４の発明は、第３の発明において、上記第１仕切板（21）及び上記第２仕切板（22）の各々は、上記中央仕切板（26）よりも下方に延びる延出部（21a,22a）を有し、上記第１仕切板（21）の延出部（21a）と上記第２仕切板（22）の延出部（22a）との間に、上記第１吸着熱交換器（52）及び上記第２吸着熱交換器（53）がそれぞれ１つずつ収容される２つの熱交換器室（33,34）が区画されることを特徴とする。
【００１９】
第４の発明では、第１仕切板（21）及び第２仕切板（22）の各延出部（21a,22a）の間に２つの熱交換器室（33,34）が区画される。つまり、第１仕切板（21）及び第２仕切板（22）は、外気流路（32）、内気流路（31）、給気流路（35）、及び排気流路（36）を区画する仕切部と、２つの熱交換器室（33,34）を区画する仕切部とを兼ねている。
【００２０】
第５の発明は、第１乃至第４のいずれか１つの発明において、上記外気流路（32）に配置されるフィルタ（43）を備え、上記区画部材（60）は、上記給気流路（35）の流路断面積が、上記排気流路（36）の流路断面積よりも大きくなるように構成されることを特徴とする。
【００２１】
第５の発明では、外気流路（32）にフィルタ（43）が配置される。これにより、室外空気中の不純物をフィルタ（43）により取り除くことができる。外気流路（32）にフィルタ（43）を配置すると、外気流路（32）から給気流路（35）に亘る空気流路の圧力損失が、内気流路（31）から排気流路（36）に亘る空気流路の圧力損失よりも大きくなり易い。しかし、区画部材（60）は、給気流路（35）の流路断面積が排気流路（36）の流路断面積よりも大きくなるように構成される。このため、これらの空気流路の圧力損失が均一化される。
【００２２】
第６の発明は、第１乃至第５のいずれか１つの発明において、上記ケーシング（11）は、前側が開放されるケーシング本体（11a）と、該ケーシング本体（11a）に着脱可能に取り付けられる前板（14）とを有し、上記ケーシング（11）の上端部（12）の前側寄りには、上記内気流路（31）に連通する内気ダクト（5）が接続する内気接続部（12a）と、上記給気流路（35）に連通する給気ダクト（6）が接続する給気接続部（12b）とが設けられ、上記ケーシング（11）の上端部（12）の後側寄りには、上記排気流路（36）に連通する排気ダクト（7）が接続する排気接続部（12c）と、上記外気流路（32）に連通する外気ダクト（8）が接続する外気接続部（12d）とが設けられることを特徴とする。
【００２３】
第６の発明では、ケーシング（11）の前板（14）を取り外すことで、ケーシング本体（11a）の内部のメンテナンスを行うことができる。ケーシング（11）の上端部では、室内に連通する内気ダクト（5）及び給気ダクト（6）が集約され、室外に連通する外気ダクト（8）及び排気ダクト（7）が集約される。これにより、各ダクト（5,6,7,8）の施工性が向上する。
【発明の効果】
【００２４】
第１の発明によれば、外気流路（32）と内気流路（31）との間に給気流路（35）及び排気流路（36）を形成することで、空気中で結露水が発生することを抑制できる。この結果、例えば結露水が電装品などにかかってしまう不具合を回避できる。また、例えば結露水の発生を防止するための断熱材の使用を抑えることができる。
【００２５】
第２の発明によれば、ケーシング（11）の外部側方における、給気ファン（41）及び排気ファン（42）の騒音を低減できる。
【００２６】
第３の発明によれば、比較的単純な構成により、各流路（31,32,35,36）を区画できる。
【００２７】
第４の発明によれば、第１仕切板（21）及び第２仕切板（22）が、各流路（31,32,35,36）と各熱交換器室（33,34）の仕切部を兼用するため部品点数を削減できる。また、各流路（31,32,35,36）と各熱交換器室（33,34）の仕切部を別々に設ける場合と比較すると仕切板の接続部の数を減らすことができる。この結果、接続部に形成される隙間を通じて空気が漏れてしまうことを確実に防止できる。
【００２８】
第５の発明によれば、外気流路（32）にフィルタ（43）を配置したとしても、外気流路（32）から給気流路（35）に亘る空気流路の圧力損失と、内気流路（31）から排気流路（36）に亘る空気流路の圧力損失とを均一化できる。従って、例えば給気ファン（41）の回転数が過剰に大きくなることを防止でき、給気ファン（41）の騒音が大きくなったり給気ファン（41）のファン効率が低下したりすることを回避できる。
【００２９】
第６の発明によれば、ケーシング（11）の後面を壁面に寄せて配置したとしても、前板（14）を取り外すことでケーシング（11）の内部のメンテナンスを容易に行うことができる。この状態において、外気ダクト（8）及び排気ダクト（7）はケーシング（11）の後側寄り（即ち、壁面寄り）に位置する。このため、例えば外気ダクト（8）及び排気ダクト（7）を室外へ容易に導くことができ、各ダクト（5,6,7,8）の施工性を向上できる。
【図面の簡単な説明】
【００３０】
【図１】図１は、実施形態に係る調湿装置の斜視図である。
【図２】図２は、図１のII-II断面図である。
【図３】図３は、図２のIII-III断面図である。
【図４】図４は、図２のIV-IV断面図である。
【図５】図５は、図３のV-V断面図である。
【図６】図６は、図３のVI-VI断面図である。
【図７】図７は、図３のVII-VII断面図である。
【図８】図８は、冷媒回路の概略構成図である。
【図９】図９は、第１動作及び第３動作における図７相当図である。
【図１０】図１０は、第１動作及び第３動作における図５の要部拡大図である。
【図１１】図１１は、第１動作及び第３動作における図６の要部拡大図である。
【図１２】図１２は、第２動作及び第４動作における図７相当図である。
【図１３】図１３は、第２動作及び第４動作における図５の要部拡大図である。
【図１４】図１４は、第２動作及び第４動作における図６の要部拡大図である。
【発明を実施するための形態】
【００３１】
以下、本発明の実施形態を図面に基づいて詳細に説明する。なお、以下の実施形態は、本質的に好ましい例示であって、本発明、その適用物、あるいはその用途の範囲を制限することを意図するものではない。
【００３２】
《発明の実施形態》
実施形態に係る調湿装置（10）は、室内を除湿する除湿運転と室内を加湿する加湿運転とを行う。調湿装置（10）は、２つの吸着熱交換器（52,53）を用いて空気を調湿する吸着方式である。
【００３３】
調湿装置（10）は室内の換気を行う換気式に構成される。調湿装置（10）では、室外空気（OA）が吸着熱交換器（52,53）を通過した後、供給空気（SA）として室内へ供給される。同時に室内空気（RA）が吸着熱交換器（52,53）を通過した後、排出空気（EA）として室外へ排出される。
【００３４】
調湿装置（10）は、例えば住宅などの室内に設置される据置式、あるいは床置式に構成される。
【００３５】
〈ケーシング〉
図１に示すように、調湿装置（10）は、箱形のケーシング（11）を有している。ケーシング（11）は、縦長の直方体状に形成されている。ケーシング（11）では、前後の長さが左右の幅よりも大きい。ケーシング（11）は、室内の床面に設置される。ケーシング（11）は、その後面が家屋の側壁と接するように配置される。
【００３６】
ケーシング（11）は、天板（12）、底板（13）、前板（14）、後板（15）、第１側板（16）、及び第２側板（17）を有している。天板（12）はケーシング（11）の上端部を構成し、底板（13）はケーシング（11）の下端部を構成する。前板（14）はケーシング（11）の前端部を構成し、後板（15）はケーシング（11）の後端部を構成する。第１側板（16）はケーシング（11）の左端部を構成し、第２側板（17）はケーシング（11）の右端部を構成する。
【００３７】
天板（12）には、内気接続部（12a）、給気接続部（12b）、排気接続部（12c）、及び外気接続部（12d）が設けられる。内気接続部（12a）は、天板（12）の前側寄り且つ左側寄りに配置される。給気接続部（12b）は、天板（12）の前側寄り且つ右側寄りに配置される。排気接続部（12c）は、天板（12）の後側寄り且つ左側寄りに配置される。外気接続部（12d）は、天板（12）の後側寄り且つ右側寄りに配置される。
【００３８】
内気接続部（12a）には内気ダクト（5）が接続され、給気接続部（12b）には給気ダクト（6）が接続される。排気接続部（12c）には排気ダクト（7）が接続され、外気接続部（12d）には外気ダクト（8）が接続される。内気ダクト（5）の流入端、及び給気ダクト（6）の流出端は室内空間に連通している。排気ダクト（7）の流出端、及び外気ダクト（8）の流入端は室外空間に連通している。
【００３９】
ケーシング（11）では、天板（12）、底板（13）、後板（15）、第１側板（16）、及び第２側板（17）がケーシング本体（11a）を構成する。つまり、ケーシング本体（11a）は、前側が開放された箱状に形成される。前板（14）は、ケーシング本体（11a）の前側開放部に着脱可能に取り付けられる。前板（14）を取り外すことでケーシング本体（11a）の内部が作業者に対して露出される。この状態で、作業者は各種の構成部品（例えば電装品、圧縮機（51）、ダンパ（D1〜D8）、ファン（41,42）など）のメンテナンスを行うことができる。
【００４０】
図２に示すように、前板（14）は、内板（14a）と化粧パネル（14b）とで構成される。内板（14a）はケーシング（11）の内部に面し、化粧パネル（14b）はケーシング（11）の外部に面する。
【００４１】
〈ケーシングの内部構造〉
ケーシング（11）の内部構造について図２〜図１４を参照しながら説明する。
【００４２】
〔仕切板及び内部空間〕
図３〜図６に示すように、ケーシング（11）の底板（13）寄りには、下部仕切板（20）が設けられる。下部仕切板（20）は、前板（14）、後板（15）、第１側板（16）、及び第２側板（17）に亘る水平な板を構成する。
【００４３】
下部仕切板（20）の下側には機械室（30）が区画される。
【００４４】
下部仕切板（20）と天板（12）との間には、第１仕切板（21）と第２仕切板（22）とが設けられる。第１仕切板（21）は第１側板（16）寄りに配置され、第２仕切板（22）は第２側板（17）寄りに配置される。第１仕切板（21）及び第２仕切板（22）は、天板（12）、下部仕切板（20）、前板（14）、及び後板（15）に亘る鉛直な板を構成する。
【００４５】
第１側板（16）と第１仕切板（21）との間には、内気流路（31）が区画される。第２側板（17）と第２仕切板（22）の間には、外気流路（32）が区画される。内気流路（31）は内気ダクト（5）と連通し、外気流路（32）は外気ダクト（8）と連通する。内気流路（31）には室内空気（RA）が導入され、外気流路（32）には室外空気（OA）が導入される。
【００４６】
第１仕切板（21）と第２仕切板（22）との間には、下側水平仕切板（23）と上側水平仕切板（24）とが設けられる。下側水平仕切板（23）は、第１仕切板（21）及び第２仕切板（22）の下部に支持される。上側水平仕切板（24）は、第１仕切板（21）及び第２仕切板（22）の上下方向の中間部に支持される。下側水平仕切板（23）及び上側水平仕切板（24）は、前板（14）、後板（15）、第１仕切板（21）、及び第２仕切板（22）に亘る水平な板を構成する。
【００４７】
図７に示すように、第１仕切板（21）の下部と第２仕切板（22）の下部との間には、下側中央仕切板（25）が設けられる。下側中央仕切板（25）は、第１仕切板（21）及び第２仕切板（22）の前後方向の中間部に支持される。下側中央仕切板（25）は、第１仕切板（21）、第２仕切板（22）、下側水平仕切板（23）、及び上側水平仕切板（24）に亘る鉛直な板を構成する。
【００４８】
下側中央仕切板（25）の前側には第１熱交換器室（33）が区画され、下側中央仕切板（25）の後側には第２熱交換器室（34）が区画される。
【００４９】
図２に示すように、第１仕切板（21）の上部と第２仕切板（22）の上部との間には、上側中央仕切板（26）が設けられる。上側中央仕切板（26）は、第１仕切板（21）及び第２仕切板（22）の前後方向の中間部（厳密にはやや後方寄り）に支持される。上側中央仕切板（26）は、第１仕切板（21）、第２仕切板（22）、及び天板（12）に亘る鉛直な板を構成する。上側中央仕切板（26）の下端と上側水平仕切板（24）の上端とは離間している。
【００５０】
上側中央仕切板（26）の前側には給気流路（35）が区画され、上側中央仕切板（26）の後側には排気流路（36）が区画される。給気流路（35）は給気ダクト（6）と連通し、排気流路（36）は排気ダクト（7）と連通する。
【００５１】
前板（14）と上側中央仕切板（26）との間には、前側仕切板（27）が設けられる。図３に示すように、前側仕切板（27）は縦断面がＬの字に形成される。前側仕切板（27）の下端は上側水平仕切板（24）に接続され、前側仕切板（27）の右端は第２仕切板（22）に接続される。
【００５２】
前板（14）と上側水平仕切板（24）と第２仕切板（22）と前側仕切板（27）との間には、排気連通路（37）が形成される。排気連通路（37）は、上側中央仕切板（26）と上側水平仕切板（24）との間の空間を介して排気流路（36）と連通し、給気流路（35）とは遮断される。
【００５３】
後板（15）と上側中央仕切板（26）との間には、後側仕切板（28）が設けられる。図４に示すように、後側仕切板（28）は縦断面がＬの字に形成される。後側仕切板（28）の下端は上側水平仕切板（24）に接続され、後側仕切板（28）の左端は第１仕切板（21）に接続される。
【００５４】
後板（15）と上側水平仕切板（24）と第１仕切板（21）と後側仕切板（28）との間には、給気連通路（38）が形成される。給気連通路（38）は、上側中央仕切板（26）と上側水平仕切板（24）との間の空間を介して給気流路（35）と連通し、排気流路（36）と遮断される。
【００５５】
〔電装品箱〕
図３、図５、図６に示すように、機械室（30）には、電装品箱（40）が設けられる。電装品箱（40）は、底板（13）のうち前板（14）寄りの部分に設置される。電装品箱（40）の内部には、各種の電装品が収容される。
【００５６】
〔圧縮機〕
図３〜図６に示すように、機械室（30）には、圧縮機（51）が設けられる。圧縮機（51）は、冷媒回路（50）に接続される（図８を参照）。圧縮機（51）は、底板（13）のうち後板（15）寄りの部分に設置される。圧縮機（51）は、電装品箱（40）の後側に配置される。
【００５７】
〔ダンパ〕
調湿装置（10）は、流路切換機構を構成する８つのダンパ（D1〜D8）を備えている。８つのダンパは、第１ダンパ（D1）、第２ダンパ（D2）、第３ダンパ（D3）、第４ダンパ（D4）、第５ダンパ（D5）、第６ダンパ（D6）、第７ダンパ（D7）、及び第８ダンパ（D8）で構成される。
【００５８】
図５に示すように、第１ダンパ（D1）及び第２ダンパ（D2）は、第１仕切板（21）に取り付けられる。第１ダンパ（D1）及び第２ダンパ（D2）の高さ位置は概ね等しい。第１ダンパ（D1）及び第２ダンパ（D2）は、第１仕切板（21）の下部寄りに配置される。第１ダンパ（D1）は、第１仕切板（21）の前側寄りに配置され、第２ダンパ（D2）は、第１仕切板（22）の後側寄りに配置される。
【００５９】
図６に示すように、第３ダンパ（D3）及び第４ダンパ（D4）は、第２仕切板（22）に取り付けられる。第３ダンパ（D3）及び第４ダンパ（D4）の高さ位置は概ね等しい。第３ダンパ（D3）及び第４ダンパ（D4）は、第２仕切板（22）の下部寄りに配置される。第３ダンパ（D3）は、第２仕切板（22）の前側寄りに配置され、第４ダンパ（D4）は、第２仕切板（22）の後側寄りに配置される。
【００６０】
図７に示すように、第５ダンパ（D5）、第６ダンパ（D6）、第７ダンパ（D7）、及び第８ダンパ（D8）は、上側水平仕切板（24）に取り付けられる。第５ダンパ（D5）は上側水平仕切板（24）の前側寄り且つ左側寄りに配置され、第６ダンパ（D6）は上側水平仕切板（24）の後側寄り且つ左側寄りに配置される。第７ダンパ（D7）は上側水平仕切板（24）の前側寄り且つ右側寄りに配置され、第８ダンパ（D8）は上側水平仕切板（24）の後側寄り且つ右側寄りに配置される。
【００６１】
図１０、図１１に例示するように、８つのダンパ（D1〜D8）の各々は、１つの開口（O）と、１つのモータ（M）と、２枚のシャッタ（S）とを有している。各ダンパ（D1〜D8）では、モータ（M）により２枚のシャッタ（S）が駆動される。これにより、各ダンパ（D1〜D8）では、シャッタ（S）が開口（O）を閉鎖する状態と開口（O）を開放する状態とに切り換わる。
【００６２】
第１ダンパ（D1）は内気流路（31）と第１熱交換器室（33）とを断続し、第２ダンパ（D2）は内気流路（31）と第２熱交換器室（34）とを断続する。第３ダンパ（D3）は外気流路（32）と第１熱交換器室（33）とを断続し、第４ダンパ（D4）は外気流路（32）と第２熱交換器室（34）とを断続する。
【００６３】
第５ダンパ（D5）は給気流路（35）と第１熱交換器室（33）とを断続し、第６ダンパ（D6）は給気流路（35）と第２熱交換器室（34）とを断続する。第７ダンパ（D7）は排気流路（36）と第１熱交換器室（33）とを断続し、第８ダンパ（D8）は排気流路（36）と第２熱交換器室（34）とを断続する。
【００６４】
流路切換機構である８つのダンパ（D1〜D8）は、ケーシング（11）の内部において、第１空気流路と第２空気流路とを切り換えて形成する。
【００６５】
図９〜図１１に示すように、第１空気流路を形成するときには、第２ダンパ（D2）、第３ダンパ（D3）、第５ダンパ（D5）、及び第８ダンパ（D8）が開状態となり、第１ダンパ（D1）、第４ダンパ（D4）、第６ダンパ（D6）、及び第７ダンパ（D7）が閉状態となる。つまり、この状態では、外気流路（32）、第１熱交換器室（33）、給気流路（35）が連続して連通し、且つ内気流路（31）、第２熱交換器室（34）、排気流路（36）が連続して連通する。第１空気流路では、外気流路（32）の空気が第１吸着熱交換器（52）を通過し給気流路（35）へ送られ且つ内気流路（31）の空気が第２吸着熱交換器（53）を通過し排気流路（36）へ送られる。
【００６６】
図１２〜図１４に示すように、第２空気流路を形成するときには、第１ダンパ（D1）、第４ダンパ（D4）、第６ダンパ（D6）、及び第７ダンパ（D7）が開状態となると同時に第２ダンパ（D2）、第３ダンパ（D3）、第５ダンパ（D5）、及び第８ダンパ（D8）が閉状態とる。つまり、この状態では、外気流路（32）、第２熱交換器室（34）、給気流路（35）が連続して連通し、且つ内気流路（31）、第１熱交換器室（33）、排気流路（36）が連続して連通する。第２空気流路では、外気流路（32）の空気が第２吸着熱交換器（53）を通過し給気流路（35）へ送られ且つ内気流路（31）の空気が第１吸着熱交換器（52）を通過し排気流路（36）へ送られる。
【００６７】
〔吸着熱交換器〕
図３、図４、図７に示すように、第１熱交換器室（33）には第１吸着熱交換器（52）が設けられ、第２熱交換器室（34）には第２吸着熱交換器（53）が設けられる。第１吸着熱交換器（52）及び第２吸着熱交換器（53）は、冷媒回路（50）に接続される（図８を参照）。
【００６８】
２つの吸着熱交換器（52,53）の各々は、伝熱管と、該伝熱管と接続する多数のフィンと、該多数のフィンの表面に担持される吸着剤とを有する。吸着剤は水分の吸着及び脱着が可能に構成される。吸着剤としては、ゼオライト、シリカゲル、活性炭、親水性の官能基を有する有機高分子材料等が用いられる。吸着剤としては、水分を吸着する機能だけでなく、水分を吸収する機能を有する材料（いわゆる収着剤）を用いてもよい。
【００６９】
〔給気ファン及び排気ファン〕
図２及び図３に示すように、給気流路（35）には給気ファン（41）が設けられる。給気ファン（41）は、前側仕切板（27）の上面に設置される。給気ファン（41）の吹出口は、給気ダクト（6）に連通している。
【００７０】
図２及び図４に示すように、排気流路（36）には排気ファン（42）が設けられる。排気ファン（42）は、後側仕切板（28）の上面に設置される。排気ファン（42）の吹出口は、排気ダクト（7）に連通している。
【００７１】
〔外気フィルタ〕
外気流路（32）には、外気接続部（12d）の下方に外気フィルタ（43）が設けられる。外気フィルタ（43）は、前板（14）から後板（15）にわたって（すなわち、外気流路（32）の全域を覆うように）設けられる。外気フィルタ（43）は、ＨＥＰＡフィルタ（High Efficiency Particulate Air Filter）等の比較的高性能のフィルタである。外気フィルタ（43）は、室外空気（OA）中の塵埃等を捕集する。
【００７２】
〔冷媒回路〕
図８に示すように、調湿装置（10）は、冷媒回路（50）を備えている。冷媒回路（50）では、充填された冷媒が循環し冷凍サイクルが行われる。冷媒回路（50）には、圧縮機（51）、第１吸着熱交換器（52）、第２吸着熱交換器（53）、膨張弁（54）、及び四方切換弁（55）が接続される。
【００７３】
圧縮機（51）の吐出部は四方切換弁（55）の第１ポートに繋がり、圧縮機（51）の吸入部は四方切換弁（55）の第２ポートに繋がる。第１吸着熱交換器（52）のガス側端部は四方切換弁（55）の第３ポートに繋がり、第２吸着熱交換器（53）のガス側端部は四方切換弁（55）の第４ポートに繋がる。膨張弁（54）は、第１吸着熱交換器（52）の液側端部と第２吸着熱交換器（53）の液側端部との間に接続される。
【００７４】
四方切換弁が第１状態（図８の実線で示す状態）になると、第１ポートと第３ポートとが連通し、且つ第２ポートと第４ポートとが連通する。四方切換弁（55）が第２状態（図８の破線で示す状態）になると、第１ポートと第４ポートとが連通し、且つ第２ポートと第３ポートとが連通する。
【００７５】
〔制御部〕
上述した電装品箱の内部には、制御部（図示省略）が設けられる。制御部は、圧縮機（51）の容量、膨張弁（54）の開度、ダンパ（D1〜D8）の開閉状態、給気ファン（41）のモータの回転数、排気ファン（42）のモータの回転数などを制御する。
【００７６】
制御部は、室内へ供給される供給空気（SA）の風量が一定となるように給気ファン（41）のモータの回転数を制御する。制御部は、室外へ排出される排出空気（RA）の風量が一定となるように排気ファン（42）のモータの回転数を制御する。制御部は、供給空気（SA）の風量と排出空気（EA）の風量とが等しくなるように、各ファン（41,42）のモータの回転数をそれぞれ制御する。
【００７７】
〈運転動作〉
調湿装置（10）の運転について図２〜図４、図８〜図１４を参照しながら説明する。調湿装置（10）は、除湿運転と加湿運転とを行う。
【００７８】
〔除湿運転〕
除湿運転では、圧縮機（51）、給気ファン（41）、及び排気ファン（42）が駆動される。除湿運転では、第１動作（図９〜図１１を参照）と第２動作（図１２〜図１４を参照）とが交互に繰り返し行われる。
【００７９】
[第１動作]
第１動作では、四方切換弁（55）が第２状態となる。第１動作中の冷媒回路（50）では、第１吸着熱交換器（52）が蒸発器となり第２吸着熱交換器（53）が凝縮器（放熱器）となる。第１動作では、８つのダンパ（D1〜D8）が第１空気流路を形成する。
【００８０】
第１動作において、外気ダクト（8）に導入された室外空気（OA）は、外気流路（32）に流入し下方へ流れる。外気流路（32）の空気は第１熱交換器室（33）に流入し、第１吸着熱交換器（52）を通過する。第１吸着熱交換器（52）では、空気中の水分が吸着剤に吸着される。この際に生じる吸着熱が冷媒の蒸発熱として利用される。第１吸着熱交換器（52）で除湿された空気は、給気流路（35）、給気ダクト（6）を順に通過し、供給空気（SA）として室内へ供給される。
【００８１】
第１動作において、内気ダクト（5）に導入された室内空気（RA）は、内気流路（31）に流入し下方へ流れる。内気流路（31）の空気は第２熱交換器室（34）に流入し、第２吸着熱交換器（53）を通過する。第２吸着熱交換器（53）では、冷媒の凝縮熱が吸着剤に付与され、吸着剤が再生される。吸着剤の水分が付与された空気は、排気流路（36）、排気ダクト（7）を順に通過し、排出空気（EA）として室外へ排出される。
【００８２】
[第２動作]
第２動作では、四方切換弁（55）が第１状態となる。第２動作中の冷媒回路（50）では、第１吸着熱交換器（52）が凝縮器（放熱器）となり第２吸着熱交換器（53）が蒸発器となる。第２動作では、８つのダンパ（D1〜D8）が第２空気流路を形成する。
【００８３】
第２動作において、外気ダクト（8）に導入された室外空気（OA）は、外気流路（32）に流入し下方へ流れる。外気流路（32）の空気は第２熱交換器室（34）に流入し、第２吸着熱交換器（53）を通過する。第２吸着熱交換器（53）では、空気中の水分が吸着剤に吸着される。この際に生じる吸着熱が冷媒の蒸発熱として利用される。第２吸着熱交換器（53）で除湿された空気は、給気流路（35）、給気ダクト（6）を順に通過し、供給空気（SA）として室内へ供給される。
【００８４】
第２動作において、内気ダクト（5）に導入された室内空気（RA）は、内気流路（31）に流入し下方へ流れる。内気流路（31）の空気は第１熱交換器室（33）に流入し、第１吸着熱交換器（52）を通過する。第１吸着熱交換器（52）では、冷媒の凝縮熱が吸着剤に付与され、吸着剤が再生される。吸着剤の水分が付与された空気は、排気流路（36）、排気ダクト（7）を順に通過し、排出空気（EA）として室外へ排出される。
【００８５】
〔加湿運転〕
加湿運転では、圧縮機（51）、給気ファン（41）、及び排気ファン（42）が駆動される。加湿運転では、第３動作（図９〜図１１を参照）と第４動作（図１２〜図１４を参照）とが交互に繰り返し行われる。
【００８６】
[第３動作]
第３動作では、四方切換弁（55）が第１状態となる。第３動作中の冷媒回路（50）では、第１吸着熱交換器（52）が凝縮器（放熱器）となり第２吸着熱交換器（53）が蒸発器となる。第３動作では、８つのダンパ（D1〜D8）が第１空気流路を形成する。
【００８７】
第３動作において、外気ダクト（8）に導入された室外空気（OA）は、外気流路（32）に流入し下方へ流れる。外気流路（32）の空気は第１熱交換器室（33）に流入し、第１吸着熱交換器（52）を通過する。第１吸着熱交換器（52）では、冷媒の凝縮熱が吸着剤に付与され、吸着剤が再生される。第１吸着熱交換器（52）で加湿された空気は、給気流路（35）、給気ダクト（6）を順に通過し、供給空気（SA）として室内へ供給される。
【００８８】
第３動作において、内気ダクト（5）に導入された室内空気（RA）は、内気流路（31）に流入し下方へ流れる。内気流路（31）の空気は第２熱交換器室（34）に流入し、第２吸着熱交換器（53）を通過する。第２吸着熱交換器（53）では、空気中の水分が吸着剤に吸着される。この際に生じる吸着熱が冷媒の蒸発熱として利用される。吸着剤に水分を付与した空気は、排気流路（36）、排気ダクト（7）を順に通過し、排出空気（EA）として室外へ排出される。
【００８９】
[第４動作]
第４動作では、四方切換弁（55）が第２状態となる。第４動作中の冷媒回路（50）では、第１吸着熱交換器（52）が蒸発器となり第２吸着熱交換器（53）が凝縮器（放熱器）となる。第４動作では、８つのダンパ（D1〜D8）が第２空気流路を形成する。
【００９０】
第４動作において、外気ダクト（8）に導入された室外空気（OA）は、外気流路（32）に流入し下方へ流れる。外気流路（32）の空気は第２熱交換器室（34）に流入し、第２吸着熱交換器（53）を通過する。第２吸着熱交換器（53）では、冷媒の凝縮熱が吸着剤に付与され、吸着剤が再生される。第２吸着熱交換器（53）で加湿された空気は、給気流路（35）、給気ダクト（6）を順に通過し、供給空気（SA）として室内へ供給される。
【００９１】
第４動作において、内気ダクト（5）に導入された室内空気（RA）は、内気流路（31）に流入し下方へ流れる。内気流路（31）の空気は第１熱交換器室（33）に流入し、第１吸着熱交換器（52）を通過する。第１吸着熱交換器（52）では、空気中の水分が吸着剤に吸着される。この際に生じる吸着熱が冷媒の蒸発熱として利用される。吸着剤に水分を付与した空気は、排気流路（36）、排気ダクト（7）を順に通過し、排出空気（EA）として室外へ排出される。
【００９２】
〈区画部材の構成〉
図２に示すように、ケーシング（11）内の上部空間（61）には、第１仕切板（21）、第２仕切板（22）、及び上側中央仕切板（26）（中央仕切板）が設けられる。第１仕切板（21）、第２仕切板（22）、及び上側中央仕切板（26）は、上部空間（61）を、内気流路（31）、外気流路（32）、給気流路（35）、及び排気流路（36）に区画する区画部材（60）を構成する。
【００９３】
区画部材（60）は、外気流路（32）と内気流路（31）とが互いに隣接しないように、該外気流路（32）と内気流路（31）との間に給気流路（35）と排気流路（36）とを形成するように構成される。
【００９４】
内気流路（31）は、第１側板（16）と第１仕切板（21）との間において、前板（14）と後板（15）とに亘っている。外気流路（32）は、第２側板（17）と第２仕切板（22）との間において、前板（14）と後板（15）とに亘っている。給気流路（35）は、外気流路（32）と内気流路（31）との間において、上側中央仕切板（26）と前板（14）とに亘っている。排気流路（36）は、外気流路（32）と内気流路（31）との間において、上側中央仕切板（26）と後板（15）とに亘っている。
【００９５】
〔結露防止対策〕
外気流路（32）と内気流路（31）との間に、給気流路（35）及び排気流路（36）を形成すると、夏季の除湿運転において、外気流路（32）の室外空気（OA）中で結露水が発生することを抑制できる。また、冬季の加湿運転において、内気流路（31）の室内空気（RA）中で結露水が発生することを抑制できる。この点について詳述する。
【００９６】
除湿運転では、外気流路（32）を流れる空気が第１吸着熱交換器（52）又は第２吸着熱交換器（53）で冷却・除湿された後、給気流路（35）を通じて室内へ供給される。同時に、内気流路（31）を流れる空気が第１吸着熱交換器（52）又は第２吸着熱交換器（53）で加温・加湿された後、排気流路（36）を通じて室外へ排出される。
【００９７】
このような除湿運転では、外気流路（32）を流れる室外空気（OA）が比較的高温・高湿となり、内気流路（31）を流れる室内空気は比較的低温となる。給気流路（35）を流れる空気は、室外から導入されるものであるため、室内空気（RA）よりも温度が高くなる傾向にある。排気流路（36）を流れる空気は、室内空気（RA）が吸着熱交換器（52,53）で加熱されたものであるため、室内空気（RA）よりも温度が高くなる傾向にある。
【００９８】
以上のように、除湿運転では、外気流路（32）を流れる空気と内気流路（31）を流れる空気との温度差が最も大きくなり易い。従って、仮に外気流路（32）と内気流路（31）とが隣り合うように配置されると、高温・高湿の室外空気（OA）が低温の室内空気（RA）によって冷却され、外気流路（32）で結露水が発生してしまう可能性がある。
【００９９】
これに対し、外気流路（32）と内気流路（31）との間に、給気流路（35）及び排気流路（36）を形成することで、隣り合う各流路（31,32,35,36）を流れる空気の温度差が小さくなる。従って、外気流路（32）や、他の流路（31,35,36）での結露水の発生を防止できる。
【０１００】
加湿運転では、外気流路（32）を流れる空気が第１吸着熱交換器（52）又は第２吸着熱交換器（53）で加熱・加湿された後、給気流路（35）を通じて室内へ供給される。同時に、内気流路（31）を流れる空気が第１吸着熱交換器（52）又は第２吸着熱交換器（53）で冷却・除湿された後、排気流路（36）を通じて室外へ排出される。
【０１０１】
このような加湿運転では、外気流路（32）を流れる室外空気（OA）が比較的低温となり、内気流路（31）を流れる室内空気（RA）は比較的高温となる。給気流路（35）を流れる空気は、室外から導入されるものであるため、室内空気（RA）よりも温度が低くなる傾向にある。排気流路（36）を流れる空気は、室内空気（RA）が吸着熱交換器（52,53）で冷却されたものであるため、室内空気（RA）よりも温度が低くなる傾向にある。
【０１０２】
以上のように、加湿運転では、外気流路（32）を流れる空気と内気流路（31）を流れる空気との温度差が最も大きくなり易い。従って、仮に外気流路（32）と内気流路（31）とが隣り合うように配置されると、高温の室内空気（RA）が低温の室外空気（OA）によって冷却され、内気流路（31）で結露水が発生してしまう可能性がある。
【０１０３】
これに対し、外気流路（32）と内気流路（31）との間に、給気流路（35）及び排気流路（36）を形成することで、隣り合う各流路（31,32,35,36）を流れる空気の温度差が小さくなる。従って、内気流路（31）や、他の流路（32,35,36）での結露水の発生を防止できる。
【０１０４】
〔ファンの騒音防止対策〕
外気流路（32）と内気流路（31）との間に給気流路（35）及び排気流路（36）を形成し、給気流路（35）に給気ファン（41）を配置し、排気流路（36）に排気ファン（42）を配置する。これにより、給気ファン（41）及び排気ファン（42）の騒音を低減できる。この点について詳述する。
【０１０５】
給気ファン（41）が設置される給気流路（35）は、第１側板（16）や第２側板（17）に面していない。給気流路（35）と第１側板（16）との間には、第１仕切板（21）が設けられ、給気流路（35）と第２側板（17）との間には、第２仕切板（22）が設けられる。このため、第１仕切板（21）や第２仕切板（22）は、給気ファン（41）の運転音を減衰する遮音板として機能する。従って、ケーシング（11）の外部側方における給気ファン（41）の騒音を低減できる。
【０１０６】
排気ファン（42）が設置される排気流路（36）は、第１側板（16）や第２側板（17）に面していない。排気流路（36）と第１側板（16）との間には、第１仕切板（21）が設けられ、排気流路（36）と第２側板（17）との間には、第２仕切板（22）が設けられる。このため、第１仕切板（21）や第２仕切板（22）は、排気ファン（42）の運転音を減衰する遮音板として機能する。従って、ケーシング（11）の外部側方における排気ファン（42）の騒音を低減できる。
【０１０７】
ケーシング（11）は、その後板（15）が家屋等の側壁に面するように配置される。このため、給気ファン（41）及び排気ファン（42）の運転音を側壁によって減衰できる。
【０１０８】
ケーシング（11）の前板（14）は、内板（14a）及び化粧パネル（14b）の二重構造になっている。つまり、ケーシング（11）では、前板（14）の全体の厚みが他の板（15,16,17）の厚みよりも大きい。このため、給気ファン（41）及び排気ファン（42）の運転音を前板（14）によって減衰できる。
【０１０９】
このように調湿装置（10）では、ケーシング（11）の前側、左側、右側、及び後側での給気ファン（41）及び排気ファン（42）の騒音を低減できる。
【０１１０】
〔仕切板の部品点数の削減〕
図３〜図６に示すように、第１仕切板（21）は、上側中央仕切板（26）よりも鉛直下方に延出する第１延出部（21a）を有している。第２仕切板（22）は、上側中央仕切板（26）よりも鉛直下方に延出する第２延出部（22a）を有している。第１延出部（21a）と第２延出部（22a）との間には、第１熱交換器室（33）と第２熱交換器室（34）とが区画される。つまり、第１仕切板（21）及び第２仕切板（22）は、第１熱交換器室（33）及び第２熱交換器室（34）の側壁を構成する。
【０１１１】
このように第１仕切板（21）及び第２仕切板（22）は、内気流路（31）、外気流路（32）、給気流路（35）、及び排気流路（36）だけでなく、第１熱交換器室（33）及び第２熱交換器室（34）の仕切部を兼ねている。これにより、仕切部材の部品の数を削減できる。
【０１１２】
また、各流路（31,32,35,36）を区画するための部材と、各熱交換器室（33,34）を区画するための部材とを別々に構成すると、これらの部材の接合部に隙間が形成される可能性がある。この結果、各流路（31,32,35,36）の間での空気の漏れが生じ、調湿性能が損なわれたり、結露水が発生したりする不具合が生じる。
【０１１３】
これに対し、第１仕切板（21）及び第２仕切板（22）の各々に延出部（21a,22a）を形成すると、上記のような隙間が形成されない。従って、各流路（31,32,35,36）の間での空気の漏れを確実に防止できる。
【０１１４】
〔圧力損失の均一化〕
図２に示すように、上側中央仕切板（26）は、前板（14）よりも後板（15）の近くに配置される。つまり、給気流路（35）の流路断面積は、排気流路（36）の流路断面積よりも大きい。また、図３及び図４に示すように、第２側板（17）と第２仕切板（22）との間隔は、第１側板（16）と第１仕切板（21）との間隔よりも大きい。つまり、外気流路（32）の流路断面積は、内気流路（31）の流路断面積よりも大きい。この構成により、外気流路（32）に外気フィルタ（43）を配置しても、給気ファン（41）のモータの回転数と排気ファン（42）のモータの回転数とを均一化できる。この点ついて詳述する。
【０１１５】
外気流路（32）に外気フィルタ（43）を配置すると、外気流路（32）の流入部から給気流路（35）の流出部までの流路（以下、給気側流路という）の圧力損失が、内気流路（31）の流入部から排気流路（36）の流出部までの流路（以下、排気側流路という）の圧力損失よりも大きくなり易い。このため、給気ファン（41）の風量と、排気ファン（42）の風量とを同じに制御しようとすると、給気ファン（41）のモータの回転数が、排気ファン（42）のモータの回転数と比べて過剰に大きくなり、給気ファン（41）の騒音が大きくなる、あるいは給気ファン（41）のモータ効率が低下するという不具合を招く。
【０１１６】
これに対し、給気流路（35）の流路断面積を排気流路（36）の流路断面積よりも大きくし、且つ外気流路（32）の流路断面積を内気流路（31）の流路断面積をよりも大きくすると、給気側流路の圧力損失を低減できる。この結果、外気流路（32）に外気フィルタ（43）を配置したとしても、給気側流路の圧力損失と排気側流路の圧力損失を均一化できる。従って、給気ファン（41）のモータの回転数が過剰に大きくなることを防止できる。
【０１１７】
−実施形態の効果−
実施形態によれば、以下の効果を奏する。
【０１１８】
外気流路（32）と内気流路（31）との間に給気流路（35）及び排気流路（36）を形成することで、空気中で結露水が発生することを抑制できる。この結果、例えば結露水が電装品などにかかってしまう不具合を回避できる。また、例えば結露水の発生を防止するための断熱材の使用を抑えることができる。
【０１１９】
給気ファン（41）と排気ファン（42）とを外気流路（32）及び内気流路（31）で挟む配置とすることで、ケーシング（11）の外部側方における、給気ファン（41）及び排気ファン（42）の騒音を低減できる。
【０１２０】
第１仕切板（21）及び第２仕切板（22）が、各流路（31,32,35,36）と各熱交換器室（33,34）の仕切部を兼用すると、部品点数を削減できる。また、各流路（31,32,35,36）と各熱交換器室（33,34）の仕切部を別々に設ける場合と比較すると、仕切板の接続部の数を減らすことができる。この結果、接続部に形成される隙間を通じて空気が漏れてしまうことを確実に防止できる。
【０１２１】
給気流路（35）の流路断面積を排気流路（36）の流路断面積よりも大きくするとともに、外気流路（32）の流路断面積を内気流路（31）の流路断面積よりも大きくしている。これにより、外気流路（32）にフィルタ（43）を配置したとしても、外気流路（32）から給気流路（35）に亘る空気流路の圧力損失と、内気流路（31）から排気流路（36）に亘る空気流路の圧力損失とを均一化できる。従って、例えば給気ファン（41）の回転数が過剰に大きくなることを防止でき、給気ファン（41）の騒音が大きくなったり給気ファン（41）のファン効率が低下したりすることを回避できる。
【０１２２】
ケーシング（11）の後面を壁面に寄せて配置したとしても、前板（14）を取り外すことでケーシング（11）の内部のメンテナンスを容易に行うことができる。この状態において、外気ダクト（8）及び排気ダクト（7）はケーシング（11）の後側寄り（即ち、壁面寄り）に位置する。このため、例えば外気ダクト（8）及び排気ダクト（7）を室外へ容易に導くことができ、各ダクト（5,6,7,8）の施工性を向上できる。
【０１２３】
《その他の実施形態》
区画部材（60）は、上部空間（61）の右側に内気流路（31）を形成し、左側に外気流路（32）を形成してもよい。この場合、ケーシング（11）の右側に第１側板（16）及び第１仕切板（21）が形成される。ケーシング（11）の左側に第２側板（17）及び第２仕切板（22）が形成される。
【０１２４】
区画部材（60）は、上部空間（61）の前側に排気流路（36）を形成し、後側に給気流路（35）を形成してもよい。
【０１２５】
給気ファン（41）は、給気ダクト（6）に設けられてもよい。排気ファン（42）は、排気ダクト（7）に設けられてもよい。
【産業上の利用可能性】
【０１２６】
以上説明したように、本発明は調湿装置について有用である。
【符号の説明】
【０１２７】
５          内気ダクト
６          給気ダクト
７          排気ダクト
８          外気ダクト
１１        ケーシング
１１ａ      ケーシング本体
１２        天板（上端部）
１２ａ      内気接続部
１２ｂ      給気接続部
１２ｃ      排気接続部
１２ｄ      外気接続部
１４        前板
１６        側板
１７        側板
２１        第１仕切板
２１ａ      第１延出部
２２        第２仕切板
２２ａ      第２延出部
２６        中央仕切板
３１        内気流路
３２        外気流路
３３        第１熱交換器室
３４        第２熱交換器室
３５        給気流路
３６        排気流路
４１        給気ファン
４２        排気ファン
４３        外気フィルタ（フィルタ）
５０        冷媒回路
５２        第１吸着熱交換器
５３        第２吸着熱交換器
６０        区画部材
６１        上部空間
Ｄ１〜Ｄ８  流路切換機構
【図１】
2017129317.tif 000003
【図２】
2017129317.tif 000004
【図３】
2017129317.tif 000005
【図４】
2017129317.tif 000006
【図５】
2017129317.tif 000007
【図６】
2017129317.tif 000008
【図７】
2017129317.tif 000009
【図８】
2017129317.tif 000010
【図９】
2017129317.tif 000011
【図１０】
2017129317.tif 000012
【図１１】
2017129317.tif 000013
【図１２】
2017129317.tif 000014
【図１３】
2017129317.tif 000015
【図１４】
2017129317.tif 000016